(57)【要約】【課題】  構造の強度が従来の一体成型の弁当箱に較べ優れた一種の弁当箱を提供する。【解決手段】  箱本体１０は多数の折れ線を有する紙の板で形成され、折り曲げ、貼り付けられ成形される。また本体はひとつの箱底２０を有し、箱底２０の周縁には接合された箱壁３０があり、また箱壁３０の縁には箱の上縁４０がある。その特徴は本体の各角がそれぞれひとつの強化接合構造６０を有することである。この強化接合構造６０はひとつの支持壁６１を有し、この支持壁６１の側辺と箱壁３０はふたつの強化接続壁６２で繋がっている。またこの支持壁上縁には上部接合壁６４があり、この強化接合壁６０は支持壁６１上に糊付けされ、かつ箱本体１０の外部に位置し、上部接合壁６４は両側の箱の上縁４０に糊付けされる。【選択図】    図３
0003104100.tif 000002
【実用新案登録請求の範囲】
【請求項１】
弁当箱であって、
箱本体は、多数の折れ線を有する紙の板により形成され、折り曲げられ、貼り付けられて成形され、前記弁当箱は箱底を有し、箱底周縁に接合された箱壁、及び前記箱壁の縁に接合された箱の上縁を有し、
前記箱本体の各角はそれぞれ強化接合構造を有し、前記強化接合構造は支持壁、前記支持壁の側辺及び前記箱壁が接合された強化接合壁、並びに支持壁の上縁に隣り合った上部接合壁を有し、
前記強化接合壁は支持壁上かつ箱本体の外部に貼り付けられ、上部接合壁は両側の箱の上縁に貼り付けられていることを特徴とする弁当箱。
【請求項２】
前記箱本体の上縁は受け片と補強片とに分けられ、前記受け片は一方の側辺が箱壁の縁に接合され、前記補強片は側辺が前記受け片の他の側辺と接合され、前記補強片は反対に向けて折られ、前記受け片の上に貼り付けられていることを特徴とする請求項１記載の弁当箱。
【請求項３】
前記支持壁の外側の各強化接合構造は、第一接合壁と第二接合壁並びに第三接合壁と第四接合壁に分けられ、前記第一接合壁及び前記第三接合壁の一方の側辺は前記支持壁のふたつの側辺にそれぞれ接合され、前記第二接合壁及び前記第四接合壁の一方の側辺は前記第一接合壁及び第三接合壁の他方の側辺に接合され、前記第二接合壁及び第四接合壁の他方の側辺は隣の箱壁に接合され、前記第一接合壁と前記第二接合壁並びに前記第三接合壁と前記第四接合壁は互いに接合部分で折り曲げられて貼り付けられて接合され、前記第一接合壁と前記第三接合壁並びに前記第二接合壁と前記第四接合壁が貼り合わされた反対側の面は、支持壁の外部壁面と貼り付けられていることを特徴とする請求項１記載の弁当箱。
【考案の詳細な説明】
【技術分野】
【０００１】
本考案は、弁当箱に関し、特に紙製の弁当箱に関する。
【背景技術】
【０００２】
現在、一般的な紙製容器（とりわけ食事を入れる紙製容器を指す）は、図１に示すように、箱本体Ａを有する。これは1枚の紙の板を裁断し、折れ線で折り、折り合わせたり熱により溶かし合わせて形成させたものである。この箱本体Ａは箱底１を有し、箱底１周縁の箱壁２、及び箱底１及び箱壁２により囲まれ且つ上に向かい口を開いた収容空間３を有している。
【０００３】
そして、この種の容器で４つの隣り合わせた箱壁２の間（角）は、垂直に接合されている（直角を呈する）。この種の接合方式は隣り合った箱壁間の周囲の強度が明らかに不足し、物を入れた際、箱壁の接合部の周囲に変形やたわみが発生しやすい。
同様に、別の一種の紙製容器がある。これは図２に示すように、箱本体Ｂを有する。これは1枚の紙の板を裁断し、折れ線で折り、折り合わせたり熱により溶かし合わせたりするなどして形成させたもので、この箱本体Ｂは箱底５を有し、箱底５周縁の箱壁６、及び箱底５及び箱壁６により囲まれ且つ上に向かい口を開いた収容空間７を有している。且つ箱本体Ｂの４つの箱壁６は斜めに接続され（４５度を呈し）、接続された箱壁６の間は、それぞれふたつの角を形成している。
【考案の開示】
【考案が解決しようとする課題】
【０００４】
図２に示すように、この種の容器で４つの隣り合った箱壁６の間は、角を切った状態（直角に接続されたものではない）を呈していて、直角に接続された容器より強度が比較的優れている。この種の容器の角は、二つののりしろ８ａ、のりしろ８ｂはそれぞれ隣り合った箱壁６内部に貼り付けられている。しかし、この種の容器の構造は、収容空間７に物品を入れた際（液状あるいは細かな状態の物品）、その入れられた物品は二つののりしろ８ａ、のりしろ８ｂと箱壁６間の隙間から滲み出たりこぼれたりして、使用者にとって不便である。更にこの二つののりしろ８ａ、のりしろ８ｂと箱壁６が貼り付けられていることにより、角の部分の構造的強度の不足が懸念される。
【０００５】
上述したことを鑑み、本創作者は長年にわたり紙製弁当箱の製造に従事した経験と研究に専念した後、ついに本創作を生み出したのです。
したがって本考案の目的は構造の強度が従来の一体成型の弁当箱に較べ優れた一種の弁当箱を提供することにある。
【課題を解決するための手段】
【０００６】
上述の目的を達成するために本考案の請求項に記載の弁当箱は、ひとつの本体を含む。この本体は多数の折れ線を有する紙の板で形成され、折り曲げ、貼り付けられ成形される。また本体はひとつの箱底を有し、箱底の周縁には接合された箱壁があり、また箱壁の縁には箱の上縁がある。その特徴は本体の各角がそれぞれひとつの強化接合構造を有することである。この強化接合構造はひとつの支持壁を有し、この支持壁側辺と箱壁はふたつの強化接続壁で繋がっている。またこの支持壁上縁には上部接合壁があり、この強化接合壁は支持壁上に糊付けされ、かつ箱本体の外部に位置し、上部接合壁は両側の箱の上縁に糊付けされる。
【考案を実施するための最良の形態】
【０００７】
以下、本考案の実施例を図面に基づいて説明する。
図３及び図４に示すように、本考案の実施例による弁当箱１００は、主に以下のものを含む。
ひとつの箱本体１０であり、この本体は一枚の紙の板を適当に裁断した後その上に完成状態の折れ線をつけた後、折れ線に従い折って糊付けし成形される。この紙の板はアメリカ食物薬物管理局（ＦＤＡ）の規定に適合する純繊維及び添加剤を使用しており、或いはポリエチレンが塗布され、適当な厚さとなっている。この紙の板は先に完成形状に裁断したのち、さらにその上に完成後の数量及び状態の折れ線を入れ、さらにこれらの折れ線を折り合わせたり、熱により溶かし合わせたりする。図４に示すように、ひとつの箱底２０、箱底２０周縁にあるひとつの箱壁３０、箱壁３０縁のひとつの箱の上縁４０、上に向かって口の開いたひとつの収容空間５０が形成される。箱本体１０の４つの角は箱壁３０の強化接合構造６０により接合されている。
【０００８】
そのうちこの各強化接合構造６０の構造は皆同じであり、図文が長くなりすぎるのを避けるため、ひとつの強化接合構造６０について説明する。
図３に示すように、この強化接合構造６０はひとつの支持壁６１、ふたつの強化接合壁６２、強化接合壁６３及びひとつの上部接合壁６４を有する。
この支持壁６１は概ね矩形を成していて、その底端は箱底２０のひとつの角に接合されている。
【０００９】
この各強化接合壁６２、強化接合壁６３は、支持壁６１の側端と、隣り合った箱壁３０上にそれぞれ接合されていて、且つ各強化接合壁６２及び強化接合壁６３はひとつの第一接合壁６２１とひとつの第二接合壁６２２及びひとつの第三接合壁６３１とひとつの第四接合壁６３２に分けられる。その中で第一接合壁６２１、第三接合壁６３１はそれぞれ概ね三角形を呈し、さらにその頂端は箱底２０上に接合されている。かつ第一接合壁６２１、第三接合壁６３１のひとつの側辺はそれぞれ支持壁６１のふたつの側辺上に接合されている。第二接合壁６２２、第四接合壁６３２はそれぞれ概ね三角形を成していて、さらにその頂端は箱底２０上に接合されている。かつ第二接合壁６２２、第四接合壁６３２のひとつの側辺はそれぞれ第一接合壁６２１、第三接合壁６３１のもうひとつの側辺上に接合されていて、かつ第二接合壁６２２、第四接合壁６３２のもうひとつの側辺はそれぞれ隣り合った箱壁３０に接合されている。
上部接合壁６４は支持壁６１の頂端上に接合されている。
【００１０】
以上が本実施例による比較的優れた弁当箱１００の各部構造形態である。さらにその折り曲げ、貼り付け方法について以下に説明する。
【００１１】
箱の上縁４０はひとつの受け片４１及びひとつの補強片４２に分けられることが可能である。図３に示すように、この受け片４１はひとつの側辺が箱壁３０の頂縁と接合されていて、この補強片４２はひとつの側辺がこの受け片４１のもうひとつの側辺に接合されている。まず図５に示すように補強片４２を受け片４１と裏側へ折り曲げお互いに貼り付けることにより、箱の上縁４０の厚さが増しその支持強度は更に優れたものとなる。さらに図６及び図７に示すように、これらの各強化接合壁６２、強化接合壁６３の第一接合壁６２１、第二接合壁６２２及び第三接合壁６３１、第四接合壁６３２はお互いにその接合部において折り合わされて貼り付けられる。図７に示すように強化接合構造６０両側の箱壁３０はこの支持壁６１のふたつの側辺に接している。さらにこの第一接合壁６２１、第二接合壁６２２及び第三接合壁６３１、第四接合壁６３２が張り合わされて構成される強化接合壁６２、強化接合壁６３は、箱本体１０の外部にまで伸びている。図８に示すように、この各強化接合壁６２、強化接合壁６３の第一接合壁６２１、第三接合壁６３１はそれぞれ第二接合壁６２２、第四接合壁６３２と貼り合わされ、その裏側が支持壁６１の外部壁面に貼り付けられる。さらに図９に示すようにこの上部接合壁６４は隣り合ったふたつの箱の上縁４０と張り合わされ、全体の構造を構成している。
【００１２】
以上が本創作の弁当箱の主要な部材及びその組成方式の紹介であり、つづいて本創作の長所を説明する。
本実施例による弁当箱において、箱本体の角の強化接合構造があることにより、箱本体の角の強度が比較的優れたものとなる。更に詳しく言えば、この強化接合構造はこの箱本体の角が非垂直状態でもって両側の箱壁を接合していることにより、本来応力が集中していた問題を解決する。且つこの強化接合構造の強化接合壁は支持壁の外部に貼り付けられることにより、この箱本体の角の支持壁は、この強化接合壁が貼り付けられた後にその厚みを増し、この箱本体の角の支持力をさらに磐石かつ十分なものとしている。更に上部接合壁が隣り合った両側の箱の上縁と張り合わされた後は、強化接合構造と箱壁の間に引っ張りの力が形成され、容器全体の強度を増加させる。
【００１３】
図１０及び図１１は、本考案の別の実施例による弁当箱を示す。上述の実施例との差異は以下の通りである。
図１０に示すように、支持壁６１’中には若干の折り痕６１１が形成されていて、かつその上部接合壁６４’とその支持壁６１’の接合している部分は、円弧曲線を呈している。その上部接合壁６４’の自由端は円弧曲線となっていて、また支持壁６１’と接合している折り痕６４１を形成している。これにより、図１１に示すようにふたつの強化接合壁６２’、強化接合壁６３’が折り曲げられ貼り合わされた後、この支持壁６１’とこの上部接合壁６４’は折り痕６１１、折り痕６４１により円弧状を呈し、且つこの上部接合壁６４’はその自由端及び支持壁６１’との接合部が皆円弧曲線を呈している故、スムーズな円弧線状を呈し、もって同様に比較的優れた構造強度のもと、さらに美観を向上させる効果を有する。
【００１４】
上述したことを鑑み、本考案が同類製品の中でもその進んだ実用性、かつ使用上の便利さを備え、また、本創作は申請前においては同様の物品が発刊物或いは公開使用されたことが見受けられないことから、本考案は新型特許要件を備えていることとし、考案者の苦心を保証するため、法に従い申請を提出する。
【図面の簡単な説明】
【００１５】
【図１】従来の弁当箱を示す外観立体図である。
【図２】従来の別の弁当箱を示す外観立体図である
【図３】本考案の実施例による弁当箱を示す展開図である。
【図４】図３に示した実施例による弁当箱を折り曲げ貼り付けた後の状態を示す外観立体図である。
【図５】図３に示した実施例の局部部材が折り曲げられ貼り付けられた時のフロー図である。
【図６】図３に示した実施例の局部部材が折り曲げられ貼り付けられた時のフロー図である。
【図７】図３に示した実施例の局部部材が折り曲げられ貼り付けられた時のフロー図である。
【図８】図３に示した実施例の局部部材が折り曲げられ貼り付けられた時のフロー図である。
【図９】図３に示した実施例の局部部材が折り曲げられ貼り付けられた時のフロー図である。
【図１０】本考案の別の実施例による弁当箱を示す局部展開図である。
【図１１】図１０に示した実施例の局部組合せ図である。
【符号の説明】
【００１６】
１０  箱本体、２０  箱底、３０  箱壁、４０  箱の上縁、４１  受け片、４２  補強片、５０  収容空間、６０  強化接合構造、６１  支持壁、６１’  支持壁、６２  強化接合壁、６３  強化接合壁、６４  上部接合壁、１００  弁当箱、６１１  折り痕、６２１  第一接合壁、６２２  第二接合壁、６３１  第三接合壁、６３２  第四接合壁、６４１  折り痕
【図１】
0003104100.tif 000003
【図２】
0003104100.tif 000004
【図３】
0003104100.tif 000005
【図４】
0003104100.tif 000006
【図５】
0003104100.tif 000007
【図６】
0003104100.tif 000008
【図７】
0003104100.tif 000009
【図８】
0003104100.tif 000010
【図９】
0003104100.tif 000011
【図１０】
0003104100.tif 000012
【図１１】
0003104100.tif 000013